(57)【要約】 【課題】利用者が自然な生活習慣の中で、且つ意識への浸透度合が高いタイミングで聴くことができる自己改善コンテンツを提供する。【解決手段】配信サーバ１００は、複数種類の自己改善内容の音声メッセージと複数種類の覚醒音を格納し、携帯電話２００から自己改善内容の音声メッセージの指定情報と覚醒音の指定情報を受信し、音声メッセージと覚醒音の指定情報に基づき指定された音声メッセージと覚醒音を抽出し、覚醒音を音声メッセージの前や後に設定して、覚醒音・自己改善内容の音声メッセージの順や自己改善内容の音声メッセージ・覚醒音の順で再生される単独ファイルの自己改善コンテンツを生成し、その自己改善コンテンツを携帯電話２００に配信する。自己改善コンテンツは、携帯電話２００で起床時にアラーム音として設定され出力される。【選択図】図２
2005258230.tif 000002
【特許請求の範囲】
【請求項１】
複数種類の自己改善内容の音声メッセージと複数種類の覚醒音を格納するサーバが通信ネットワークを介して接続するクライアント端末に自己改善コンテンツを提供する方法であって、クライアント端末から自己改善内容の音声メッセージの指定情報と覚醒音の指定情報を受信し、該音声メッセージの指定情報及び覚醒音の指定情報に基づき、指定された音声メッセージと覚醒音を抽出し、覚醒音を音声メッセージの前に設定して、覚醒音・音声メッセージの順で再生される単独ファイルの自己改善コンテンツを生成し、該自己改善コンテンツをクライアント端末に配信することを特徴とする自己改善コンテンツの提供方法。
【請求項２】
複数種類の自己改善内容の音声メッセージと複数種類の覚醒音を格納するサーバが通信ネットワークを介して接続するクライアント端末に自己改善コンテンツを提供する方法であって、クライアント端末から自己改善内容の音声メッセージの指定情報と覚醒音の指定情報を受信し、該音声メッセージの指定情報及び覚醒音の指定情報に基づき、指定された音声メッセージと覚醒音を抽出し、覚醒音を音声メッセージの後に設定して、音声メッセージ・覚醒音の順で再生される単独ファイルの自己改善コンテンツを生成し、該自己改善コンテンツをクライアント端末に配信することを特徴とする自己改善コンテンツの提供方法。
【請求項３】
前記クライアント端末から音声メッセージの繰り返し回数を受信し、該繰り返し回数に基づき、指定された音声メッセージから該繰り返し回数再生される音声メッセージを生成し、該繰り返し回数再生される音声メッセージで単独ファイルの自己改善コンテンツを生成することを特徴とする請求項１又は２記載の自己改善コンテンツの提供方法。
【請求項４】
前記自己改善コンテンツに於ける自己改善内容の音声メッセージの音量が覚醒音の音量より小さいことを特徴とする請求項１、２又は３記載の自己改善コンテンツの提供方法。
【請求項５】
前記クライアント端末から音声メッセージの前に設定する第１の覚醒音の指定情報と音声メッセージの後に設定する第２の覚醒音の指定情報を受信し、該第１の覚醒音と第２の覚醒音の指定情報に基づき、指定された第１の覚醒音と第２の覚醒音を抽出し、音声メッセージより音量が大きい第１の覚醒音を音声メッセージの前に設定し、且つ音声メッセージと第１の覚醒音より音量が大きい第２の覚醒音を音声メッセージの後に設定し、第１の覚醒音・音声メッセージ・第２の覚醒音の順で再生される単独ファイルの自己改善コンテンツを生成することを特徴とする請求項１、２、３又は４記載の自己改善コンテンツの提供方法。
【請求項６】
前記自己改善コンテンツを生成する際に、格納する音声メッセージの再生時間と覚醒音の再生時間を認識し、音声メッセージの再生時間と覚醒音の再生時間の積算に基づき自己改善コンテンツの再生時間を取得し、該取得した再生時間を表示可能に付加して自己改善コンテンツを生成することを特徴とする請求項１、２、３、４又は５記載の自己改善コンテンツの提供方法。
【請求項７】
前記クライアント端末が設定時刻にアラーム音を鳴らす機能を有する小型携帯情報端末であることを特徴とする請求項１、２、３、４、５又は６記載の自己改善コンテンツの提供方法。
【請求項８】
同一の自己改善内容に対して複数の音声者による音声メッセージを格納するサーバが、クライアント端末から所定音声者の音声メッセージの指定情報を受信し、該所定音声者の音声メッセージで自己改善コンテンツを生成することを特徴とする請求項１、２、３、４、５、６又は７記載の自己改善コンテンツの提供方法。
【請求項９】
複数種類の自己改善内容の音声メッセージと複数種類の覚醒音を格納するサーバが生成する自己改善コンテンツを通信ネットワークを介して接続するクライアント端末に提供する方法であって、クライアント端末の表示画面で自己改善内容の音声メッセージと覚醒音の指定を促すステップと、クライアント端末から受信する音声メッセージの指定情報及び覚醒音の指定情報に基づき抽出した覚醒音を音声メッセージの前に設定して生成される、覚醒音・音声メッセージの順で再生される単独ファイルの自己改善コンテンツを、クライアント端末に受信させるステップとを備えることを特徴とする自己改善コンテンツの提供方法。
【請求項１０】
複数種類の自己改善内容の音声メッセージと複数種類の覚醒音を格納するサーバが生成する自己改善コンテンツを通信ネットワークを介して接続するクライアント端末に提供する方法であって、クライアント端末の表示画面で自己改善内容の音声メッセージと覚醒音の指定を促すステップと、クライアント端末から受信する音声メッセージの指定情報及び覚醒音の指定情報に基づき抽出した覚醒音を音声メッセージの後に設定して生成される、音声メッセージ・覚醒音の順で再生される単独ファイルの自己改善コンテンツを、クライアント端末に受信させるステップとを備えることを特徴とする自己改善コンテンツの提供方法。
【発明の詳細な説明】
【技術分野】
【０００１】
本発明は、携帯電話などクライアント端末へのコンテンツ配信に係り、特に利用者が自らの意識を改善し、望ましい心身の状態や行動を実現するために聴く音声メッセージを有する自己改善コンテンツを提供する方法に関する。
【背景技術】
【０００２】
利用者が自らの意識を改善し、望ましい心身の状態や行動を実現するための自己改善コンテンツをクライアント端末へ配信することに関連する公知技術文献に特許文献１がある。特許文献１には、リラクゼーション又はモチベーションを利用者に感じさせる著名セラピスト等による映像や音声等のコンテンツをサーバに蓄積し、サーバからクライアント端末へコンテンツを配信し、ビジネス、スポーツ、芸能、教育、医療等の重要な場面に臨む利用者にコンテンツを視聴させ、利用者の緊張緩和を図ることや士気を高めることが開示されている。
【０００３】
【特許文献１】特開２００２−１０１４０４号公報
【発明の開示】
【発明が解決しようとする課題】
【０００４】
ところで、利用者が自らの意識を恒常的に改善して、恒常的に望ましい心身の状態や行動を実現するためには、利用者が望む同一の自己改善内容を持続して聴き続け、その内容に基づく改善意識を強化し、定着させることが極めて重要である。そのため、自然な生活習慣の中で利用者が聴ける自己改善コンテンツが求められる。また、利用者の意識への自己改善内容の浸透度合は、利用者の脳波がα波やθ波の状態のときに高いことから、かような状態のときに利用者が聴ける自己改善コンテンツが求められる。
【０００５】
本発明は上記課題に鑑み提案するものであって、その目的は、利用者が自然な生活習慣の中で、且つ意識への浸透度合が高いタイミングで聴くことができる自己改善コンテンツを提供することにある。
【課題を解決するための手段】
【０００６】
本発明の自己改善コンテンツの提供方法は、複数種類の自己改善内容の音声メッセージと複数種類の覚醒音を格納するサーバが通信ネットワークを介して接続するクライアント端末に自己改善コンテンツを提供する方法であって、クライアント端末から自己改善内容の音声メッセージの指定情報と覚醒音の指定情報を受信し、該音声メッセージの指定情報及び覚醒音の指定情報に基づき、指定された音声メッセージと覚醒音を抽出し、覚醒音を音声メッセージの前に設定して、覚醒音・音声メッセージの順で再生される単独ファイルの自己改善コンテンツを生成し、該自己改善コンテンツをクライアント端末に配信する、又は、覚醒音を音声メッセージの後に設定して、音声メッセージ・覚醒音の順で再生される単独ファイルの自己改善コンテンツを生成し、該自己改善コンテンツをクライアント端末に配信することを特徴とする。
【０００７】
更に、本発明の自己改善コンテンツの提供方法は、クライアント端末から音声メッセージの繰り返し回数を受信し、該繰り返し回数に基づき、指定された音声メッセージから該繰り返し回数再生される音声メッセージを生成し、該繰り返し回数再生される音声メッセージで単独ファイルの自己改善コンテンツを生成することを特徴とする。尚、音声メッセージを予め同一の自己改善内容或いは音声メッセージが所定回数繰り返されるものとしておいてもよい。
【０００８】
更に、本発明の自己改善コンテンツの提供方法は、自己改善コンテンツに於ける自己改善内容の音声メッセージの音量が覚醒音の音量より小さいことを特徴とし、前記構成により、多くの利用者が適度な音量で平静に音声メッセージを聴くことができる。更には、クライアント端末から音声メッセージの前に設定する第１の覚醒音の指定情報と音声メッセージの後に設定する第２の覚醒音の指定情報を受信し、該第１の覚醒音と第２の覚醒音の指定情報に基づき、指定された第１の覚醒音と第２の覚醒音を抽出し、音声メッセージより音量が大きい第１の覚醒音を音声メッセージの前に設定し、且つ音声メッセージと第１の覚醒音より音量が大きい第２の覚醒音を音声メッセージの後に設定し、第１の覚醒音・音声メッセージ・第２の覚醒音の順で再生される単独ファイルの自己改善コンテンツを生成することを特徴とする。
【０００９】
更に、本発明の自己改善コンテンツの提供方法は、自己改善コンテンツを生成する際に、格納する音声メッセージの再生時間と覚醒音の再生時間を認識し、音声メッセージの再生時間と覚醒音の再生時間の積算に基づき自己改善コンテンツの再生時間を取得し、該取得した再生時間を表示可能に付加して自己改善コンテンツを生成することを特徴とする。
【００１０】
更に、本発明の自己改善コンテンツの提供方法は、同一の自己改善内容に対して複数の音声者による音声メッセージを格納するサーバが、クライアント端末から所定音声者の音声メッセージの指定情報を受信し、該所定音声者の音声メッセージで自己改善コンテンツを生成することを特徴とする。
【００１１】
また、本発明の自己改善コンテンツの提供方法は、複数種類の自己改善内容の音声メッセージと複数種類の覚醒音を格納するサーバが生成する自己改善コンテンツを通信ネットワークを介して接続するクライアント端末に提供する方法であって、クライアント端末の表示画面で自己改善内容の音声メッセージと覚醒音の指定を促すステップと、クライアント端末から受信する音声メッセージの指定情報及び覚醒音の指定情報に基づき抽出した覚醒音を音声メッセージの前に設定して生成される、覚醒音・音声メッセージの順で再生される単独ファイルの自己改善コンテンツを、クライアント端末に受信させるステップとを備える、又は、クライアント端末の表示画面で自己改善内容の音声メッセージと覚醒音の指定を促すステップと、クライアント端末から受信する音声メッセージの指定情報及び覚醒音の指定情報に基づき抽出した覚醒音を音声メッセージの後に設定して生成される、音声メッセージ・覚醒音の順で再生される単独ファイルの自己改善コンテンツを、クライアント端末に受信させるステップとを備えることを特徴とする。
【００１２】
尚、本発明に於けるクライアント端末は、パーソナルコンピュータ、通信機能を有する時計機器、その他の各種機器など適宜であるが、携帯電話、簡易携帯電話（ＰＨＳ）、ＩＰ携帯電話、ＰＤＡ等、寝室に携行容易で設定時刻にアラーム音を鳴らす機能を有する小型携帯情報端末とすると、配信を受けた自己改善コンテンツを格納し、自己改善コンテンツを所定時刻のアラーム音に設定し、寝室等に容易に持ち運んで用いることができ好適である。また、クライアント端末は、配信を受けた自己改善コンテンツを格納して再生出力するものの他、アラーム機能を有する時計機器など他の機器で自己改善コンテンツを格納して再生出力する場合に於ける、一旦受信して転送するための中継装置となるものでもよい。
【００１３】
また、自己改善内容の音声メッセージの音声者や、覚醒音を音声とする場合の音声者は、実在の人物の他に、アニメーションのキャラクターなど架空の人物或いはその声優も含まれ、更に、著名人とすると好適であるが、任意の利用者の好みに合う音声を有する物であれば著名人に限定されない。また、音声メッセージの自己改善内容は誉め言葉など利用者の意識を肯定的に改善する内容であれば適宜であり、更に、音声メッセージの再生時間の長さや自己改善内容の長さも適宜所定量に設定可能である。また、覚醒音は、例えば通常のアラーム音、楽曲、音声等とし、更に、覚醒音を音声とする場合に音声メッセージの自己改善内容と関連する内容の音声や、自己改善内容の音声メッセージの音声者と同一人物による音声等とすることが可能であり、更に、その再生時間は適宜所定量の設定可能である。また、自己改善コンテンツに表示可能に付加される再生時間は、例えば自己改善コンテンツのタイトル、或いはその他の詳細情報で表示されるように付加するとよい。また、自己改善コンテンツ或いはその音声メッセージは映像や画像を伴うものとしてもよい。また、本発明に於ける音量は平均音量等とする。
【００１４】
また、本発明には、各発明や実施形態に明細書の開示事項を追加したものや、各発明や実施形態の部分的な構成を他の開示事項の構成に変更したものや、各発明や実施形態の部分的な構成を部分的な効果が得られる限度で削除したものが包含され、更に、特徴的な構成をシステム、装置、方法、プログラム等の適宜の表現で特定したものも含まれる。
【発明の効果】
【００１５】
本発明の自己改善コンテンツの提供方法は、以下の第１〜第５の効果を全て奏する。
【００１６】
第１に、利用者は音声メッセージと覚醒音で構成される自己改善コンテンツを起床時のアラーム音に設定し、起床時に自己改善内容を聴くことが可能であるから、利用者は特別に聴く行為をせずとも、自然な生活習慣の中で自己改善内容を聴くことができる。従って、多くの利用者が自己改善内容を持続して聴き続け、恒常的な意識改善を図ることが可能となる。
【００１７】
第２に、覚醒音を再生した後に音声メッセージを再生する構成で、利用者は、覚醒音の報知で覚醒若しくは半覚醒し、脳波がα波やθ波である自己暗示に適した状態で自己改善内容の音声メッセージを聴くことができる。又は、利用者は体内時計等で覚醒若しくは半覚醒し、脳波がα波やθ波である自己暗示に適した状態で自己改善内容の音声メッセージを聴き、その後の覚醒音で起床することができる。従って、利用者は、意識への浸透度合が高いタイミングで自己改善内容を聴くことができ、意識改善を強化することができる。
【００１８】
第３に、利用者は、複数種類の覚醒音の中から所望の覚醒音を適宜選択し、自己改善内容の音声メッセージと組み合わせて自己改善コンテンツを得られる。即ち、同一の自己改善内容の音声メッセージを聴き続け、その内容を意識に浸透させ恒常的な意識改善を図る利用者に対し、変化に富む多様な自己改善コンテンツを提供して飽きを防ぎ、同一の自己改善内容を持続して聴き続けることを支援することができる。
【００１９】
第４に、自己改善コンテンツを単独ファイルとすることで、アラーム機能を有する各種機器でアラーム音として簡単に設定することができ、一度の設定操作で一連の覚醒音と音声メッセージを聴くことができる。例えば特別なアプリケーションプログラム等を必要とせずにアラーム機能を有する携帯電話にアラーム音として簡単に設定できる。
【００２０】
第５に、覚醒音と自己改善内容の音声メッセージの組み合わせた単独ファイルを配信するので、覚醒音と音声メッセージの異なる組み合わせによる自己改善コンテンツも配信することができ、同一の音声メッセージ或いは覚醒音を何度も配信することができる。そして、多量な音声メッセージの配信や覚醒音の配信に基づき、音声メッセージや覚醒音毎に単価を設定する等の従量制課金で収益を向上することができ、又は、多量な音声メッセージの配信や覚醒音の配信を背景にして定額制課金の課金額の増加や維持を図ることができ、自己改善コンテンツの提供者側は収益力を確保することができる。また、覚醒音や音声メッセージの著作権者も収入を増加することができる。
【００２１】
更に、クライアント端末から受信する繰り返し回数の音声メッセージを自己改善コンテンツとすることで、利用者は希望する繰り返し回数だけ同一の自己改善内容を聴くことができ便宜性を向上すると共に、利用者は自己改善内容を聴く回数を増大し、意識改善を強化することができる。
【００２２】
更に、自己改善コンテンツを第１の覚醒音・音声メッセージ・第２の覚醒音の順で再生される単独ファイルとし、第１と第２の覚醒音の音量を音声メッセージより大きくすることで、利用者は、覚醒音の報知で覚醒若しくは半覚醒し、脳波がα波やθ波の自己暗示に適した状態で且つ聴き続けるのに適した音量で自己改善内容の音声メッセージを聴き、第２の覚醒音で完全に起床することが可能となると共に、第２の覚醒音の追加設定で多様な組み合わせの自己改善コンテンツを配信し、収益性を高めることができる。加えて、第２の覚醒音の音量を第１の覚醒音の音量より大きくすることで利用者の起床を確実に促すことができる。
【００２３】
更に、自己改善コンテンツの再生時間を表示可能に自己改善コンテンツに付加することにより、利用者が自己改善コンテンツを再生装置のアラーム音に設定し、起床する際に自己改善コンテンツを聴く場合に、自己改善コンテンツの再生時間を認知して、起床したい時間から再生時間分逆算した時刻をアラームの設定時刻に設定することができる。
【００２４】
更に、同一の自己改善内容に対して複数の音声者による音声メッセージを配信することで、利用者は好みの音声者による音声メッセージを用いることで持続して自己改善内容を聴き続けることができると共に、威光暗示の効果も得ることができる。また、同一の自己改善内容に対して異なる音声者の自己改善内容を聴けるので、利用者は多様性で飽きを防ぎ持続的に自己改善内容を聴き続けることができると共に、複数人から同一内容を聞かされることで暗示効果が高まる所謂社会的な合意性に基づき、自己改善内容を意識へ強く浸透させることができる。
【発明を実施するための最良の形態】
【００２５】
本発明の自己改善コンテンツの提供方法について実施形態に基づき説明する。
【００２６】
本実施形態は、図１に示す全体構成を基に自己改善コンテンツを配信するものである。図１に於いて、１００は自己改善コンテンツを配信する配信サーバ、２００は自己改善コンテンツの配信を受ける携帯電話であり、配信サーバ１００と携帯電話２００は、インターネット・ゲートウェイサーバ・携帯電話網・無線基地局で構成される通信ネットワーク３００を介して適時に接続される。
【００２７】
配信サーバ１００は、通信制御部１０１、ＣＰＵや制御プログラムを格納するＲＯＭやＣＰＵのワーキングエリアとなるＲＡＭ等で構成される制御部１０２と、制御部１０２で用いられて配信サーバ１００をウェブサーバやアプリケーションサーバとして機能させるＣＧＩプログラム等のサーバプログラムを格納するサーバプログラム格納部１０３と、利用者へ提示する画面であるウェブページを格納するウェブページ格納部１０４と、例えば利用者の携帯電話２００のサブスクライバＩＤ或いは端末ＩＤ等の利用者ＩＤ・登録した利用者のパスワード・氏名・住所等の利用者に関する情報を格納する利用者情報データベース１０５と、複数種類の自己改善内容の音声メッセージで同一の自己改善内容に対し複数の音声者による音声メッセージを格納している音声メッセージデータベース１０６と、楽曲や音声メッセージ等の複数種類の覚醒音をそれぞれ格納する第１覚醒音データベース１０７と第２覚醒音データベースとを備え、１０３〜１０８はハードディスク等の記憶部に設けられる。その他に図に省略した操作入力部、表示部等を備える。
【００２８】
自己改善内容は、例えば望ましい心情の在り方に関し「あなたは愛情に溢れており、いつも優しく寛容である」、美容に関し「あなたは輝きに満ちて美しく、私はあなたに惹かれています」、健康回復に関し「あなたの健康は日々益々回復し、エネルギーが満ちてきています」、仕事の発展に関し「あなたは喜びに溢れてお客様に奉仕し、益々仕事を繁栄させています」など、精神的な豊かさや物質的な豊かさに関する肯定的な内容とし、各自己改善内容はウェブページに記述され利用者に提示される。また、音声メッセージＤＢ１０６には、同一の自己改善内容毎に複数の音声者の音声による音声メッセージが準備され格納されており、同一の自己改善内容に対応する複数の音声メッセージは随時追加或いは変更されて更新される。尚、同一の自己改善内容に対応する複数の音声者による音声メッセージは、音声者により語尾など言い回し方等が若干異なるものでもよく、同趣旨であれば適宜である。また、音声メッセージの音声者は、例えば著名人、芸能人、アニメーションのキャラクター若しくはその声優等、利用者が好印象を持って音声者をイメージし、メッセージ内容について威光性を感じることが可能な者であればよい。
【００２９】
第１覚醒音ＤＢ１０７に格納されている第１覚醒音は、睡眠中の利用者を覚醒状態や半覚醒状態にする楽曲や音声等であり、格納されている第１覚醒音の音量パラメータは音声メッセージの音量パラメータより大きくなっている。また、第２覚醒音ＤＢ１０８に格納されている第２覚醒音は、覚醒状態や半覚醒状態の利用者を起床させる楽曲や音声等であり、格納されている第２覚醒音の音量パラメータは音声メッセージの音量パラメータや第１覚醒音の音量パラメータより大きく設定されている。前記音声メッセージ、第１覚醒音、第２覚醒音の音量は、携帯電話２００の所定段階に調整された音量に対し、例えば所定距離離れた利用者に音声メッセージ：３５〜５０ｄＢ、第１覚醒音：５０〜６０ｄＢ、第２覚醒音：６０〜７０ｄＢとなるように設定するが、適宜設定することが可能である。尚、覚醒音を一つのデータベースに格納し、第１覚醒音或いは第２覚醒音として抽出した覚醒音の音量パラメータをそれぞれ第１覚醒音用或いは第２覚醒音用に設定する構成としてもよい。
【００３０】
携帯電話２００は、通信制御を行う通信制御部２０１と、ＣＰＵや制御プログラムを格納するフラッシュメモリやＣＰＵの作業領域となるＳＲＡＭ等で構成される制御部２０２と、フラッシュメモリ等で構成され、各種アプリケーションプログラムや後述する自己改善コンテンツを格納する記憶部２０３と、利用者の操作入力を受け付けるボタン等の操作入力部２０４と、液晶若しくは有機ＥＬディスプレイ等の表示部２０５と、マイクロフォン２０６と、音声を出力するレシーバ２０７及びスピーカ２０８等を備える。制御部２０２が所定プログラムに従って動作する携帯電話２００は、ブラウザー機能、記憶部２０３に格納している音データを設定時刻にアラーム音として鳴らすアラーム機能を有する。
【００３１】
次に、本実施形態の自己改善コンテンツの配信過程について図２に基づき説明する。
【００３２】
先ず、利用者のＵＲＬやアクセス要求の入力に従って携帯電話２００は配信サーバ１００へアクセス要求を送信し（Ｓ２０１）、配信サーバ１００は、携帯電話２００からのアクセス要求を受信して接続を確立し（Ｓ１０１）、配信サーバ１００或いはその制御部１０２は、ウェブページ格納部１０４のウェブページを用い、自己改善コンテンツの配信へ誘導する項目等が示される所定画面を送信して提示する。そして、利用者の前記項目の選択入力に基づき、配信サーバ１００は、携帯電話２００から前記項目の情報を受信し、利用者の認証画面を携帯電話２００に送信して提示する。携帯電話２００或いはその制御部２０２は、配信サーバ１００から受信する認証画面を表示部２０５に表示し、利用者の認証画面に於ける利用者ＩＤ及びパスワードの入力及び送信要求の入力に従い、利用者ＩＤ及びパスワードを配信サーバ１００へ送信する（Ｓ２０２）。配信サーバ１００は、利用者ＩＤ及びパスワードの受信に応じ、利用者情報ＤＢ１０５から前記利用者ＩＤのパスワードを抽出し、受信したパスワードと照合し、両パスワードが一致した場合には利用者を認証する（Ｓ１０２）。尚、利用者の認証処理は適宜であり、例えばパスワードに代えて指紋や静脈パターン等の生体情報で認証してもよい。
【００３３】
利用者を認証した場合、配信サーバ１００は、「心情」、「健康」、「美容」、「仕事」等の自己改善内容のカテゴリー項目が選択入力可能に表示されるカテゴリー選択画面を携帯電話２００に送信し、他方で、携帯電話２００は、受信したカテゴリー選択画面を表示し、利用者が所望するカテゴリー項目の選択入力に従い、選択されたカテゴリーの識別情報を配信サーバ１００へ送信する（Ｓ２０３）。更に、配信サーバ１００は、選択されたカテゴリーの識別情報の受信に応じて、自己改善内容のカテゴリーを特定し（Ｓ１０３）、そのカテゴリーに含まれる複数の自己改善内容のメッセージの文章がそれぞれ選択入力可能に表示される自己改善内容選択画面を携帯電話２００に送信し、他方で、携帯電話２００は、受信した自己改善内容選択画面を表示し、利用者が所望する自己改善内容のメッセージの選択入力に従い、選択された自己改善内容のメッセージの識別情報を配信サーバ１００へ送信する（Ｓ２０４）。
【００３４】
その後、配信サーバ１００は、自己改善内容或いはそのメッセージの識別情報の受信に応じて、その識別情報をＲＡＭ等に一時保持して自己改善内容を特定し（Ｓ１０４）、その自己改善内容或いはそのメッセージに対して格納している音声メッセージの音声者名の一覧が選択入力可能に表示される音声者選択画面を携帯電話２００に送信し、携帯電話２００は受信する音声者選択画面を表示する。携帯電話２００は、音声者名の選択入力に応じて、自己改善内容の識別情報が内包されている音声者の識別情報を配信サーバ１００へ送信する（Ｓ２０５）。
【００３５】
配信サーバ１００は、自己改善内容の識別情報が内包されている音声者の識別情報を受信し、音声者の識別情報をＲＡＭ等に一時保持して音声者或いは音声メッセージを特定すると共に（Ｓ１０５）、選択入力可能な第１覚醒音の一覧と第１覚醒音の選択を促すメッセージを表示する第１覚醒音選択画面を携帯電話２００へ送信し、他方で、携帯電話２００は、第１覚醒音選択画面を表示し、利用者が所望する第１覚醒音の選択入力に従い、選択された第１覚醒音の識別情報を配信サーバ１００へ送信する（Ｓ２０６）。配信サーバ１００は、第１報知音の識別情報を受信し、第１報知音の識別情報をＲＡＭ等に一時保持して第１覚醒音を特定すると共に（Ｓ１０６）、選択入力可能な第２覚醒音の一覧と第２覚醒音の選択を促すメッセージを表示する第２覚醒音選択画面を携帯電話２００へ送信し、他方で、携帯電話２００は、第２覚醒音選択画面を表示し、利用者が所望する第２覚醒音の選択入力に従い、選択された第２覚醒音の識別情報を配信サーバ１００へ送信する（Ｓ２０７）。尚、配信サーバ１００が、第２覚醒音を設定するか確認画面を提示し、設定する場合にだけ第２覚醒音選択画面を提示する構成や、第２覚醒音の選択画面を提示せずに、選択された音声メッセージと第１覚醒音だけで第１覚醒音・音声メッセージの順序で再生される後述の自己改善コンテンツを生成する構成としてもよい。
【００３６】
配信サーバ１００は、選択された第２覚醒音の識別情報の受信に応じて第２覚醒音を特定し、ＲＡＭ等に一時保持している自己改善内容の識別情報を内包する音声者の識別情報或いは音声メッセージの識別情報に対応する当該音声者の音声による自己改善内容の音声メッセージを音声メッセージＤＢ１０６から抽出し、第１覚醒音の識別情報に対応する第１覚醒音を第１覚醒音ＤＢ１０７から抽出し、第２覚醒音の識別情報に対応する第２覚醒音を第２覚醒音ＤＢ１０８から抽出して、第１覚醒音・前記音声者による前記自己改善内容の音声メッセージ・第２覚醒音の順に配置してファイル結合し、必要に応じてファイル変換し、前記第１覚醒音・音声メッセージ・第２覚醒音の順序で連続して再生される一体化したファイルの自己改善コンテンツを生成する（Ｓ１０８）。
【００３７】
前記ファイル結合やファイル形式の変換による自己改善コンテンツの生成及び後述の配信は、例えば第１覚醒音、単位音声メッセージ、第２覚醒音をそれぞれｗａｖ形式で第１覚醒音ＤＢ１０７、音声メッセージＤＢ１０６、第２覚醒音ＤＢ１０８にそれぞれ格納し、これらのｗａｖ形式のデータから所要データを抽出し、ファイル結合して第１覚醒音・所望音声者による自己改善内容の音声メッセージ・第２覚醒音等の順序で連続再生される一体化したｗａｖ形式の自己改善コンテンツを生成して配信する、或いは前記生成した一体的なｗａｖ形式の自己改善コンテンツをｍｍｆ形式やｍｌｄ形式等に変換して、ｍｍｆ形式やｍｌｄ形式等の一体化した自己改善コンテンツを生成して配信する、或いは各データベース１０６〜１０８に格納されるｍｍｆ形式やｍｌｄ形式等のデータをファイル結合し、一体化したｍｍｆ形式やｍｌｄ形式等の一体化した自己改善コンテンツを生成して配信する構成等とする。尚、音声と対応する映像を有する音声メッセージ、第１覚醒音、第２覚醒音とする場合には例えばｍｐｅｇ形式等とする。
【００３８】
そして、配信サーバ１００或いはその制御部１０２は、自己改善コンテンツに、音声者の識別情報或いはメッセージ内容の識別情報に対応して音声メッセージＤＢ１０６等の所定記憶部に格納している自己改善内容によるタイトル若しくは自己改善内容の特徴的な部分を示すタイトル、或いは自己改善内容の全部若しくは一部と、音声メッセージのヘッダに記述されている音声者名を結合したタイトルを付加して自己改善コンテンツの生成を完了し、生成した自己改善コンテンツを携帯電話２００にダウンロードで配信する（Ｓ１０９）。他方で、携帯電話２００或いはその制御部２０２は、配信された自己改善コンテンツをダウンロードで受信し、受信した自己改善コンテンツを記憶部２０３のデータフォルダ等の所定記憶領域に格納する（Ｓ２０８）。前記格納された自己改善コンテンツは前記タイトルで特定される。
【００３９】
利用者が携帯電話２００に格納された自己改善コンテンツを利用する場合には、例えば設定時刻にアラーム音を鳴らすアラーム機能を有する携帯電話２００で、所望設定時刻のアラーム音として自己改善コンテンツを設定し、起床する際の所望設定時刻に自己改善コンテンツを携帯電話２００で再生し、スピーカ２０８から出力される自己改善コンテンツを聴く等で利用する（Ｓ２０９）。
【００４０】
次に、上記実施形態の自己改善コンテンツの提供の変形例について説明する。
【００４１】
先ず、自己改善内容の音声メッセージは、同一の自己改善内容が複数回繰り返される音声メッセージとしてもよい。例えば配信サーバ１００が、予め所定回数繰り返される音声メッセージを音声メッセージＤＢ１０６に格納し、音声者の識別情報に対応する前記繰り返し回数の音声メッセージを抽出し、第１覚醒音の後に前記繰り返し回数の音声メッセージを配置して自己改善コンテンツを生成する構成や、或いは配信サーバ１００が、音声者或いは音声メッセージの識別情報の受信に基づき繰り返し回数の入力画面を提示し、携帯電話２００から音声メッセージの繰り返し回数を受信してＲＡＭ等の一時保持し、自己改善コンテンツを生成する際に、第１覚醒音の後に前記繰り返し回数だけ自己改善内容の音声メッセージを配置してファイル結合する構成や、又、自己改善コンテンツのヘッダ若しくは自己改善コンテンツの音声メッセージに対して設定するサブヘッダに繰り返し回数を記述して自己改善コンテンツを生成し、携帯電話２００の所定プログラムで前記繰り返し回数だけ音声メッセージを繰り返して連続出力する構成等とすることが可能である。
【００４２】
また、生成する自己改善コンテンツの再生時間を取得し、その再生時間を自己改善内容の一部等と併せて自己改善コンテンツのタイトルとして表示可能に付加する或いは詳細情報に表示可能に付加する構成とすると、自己改善コンテンツの再生時間がある程度長い場合に、起床時に自己改善コンテンツをアラーム音に設定して再生出力する際に、前記再生時間に基づき起床時刻から逆算して再生を開始する所要の設定時刻を容易に認識することが可能となって好適であり、自己改善コンテンツをアラーム音に設定して用いる利用者の便宜性を高めることができる。例えば音声メッセージ、第１覚醒音、第２覚醒音の各ヘッダに各々の再生時間或いは再生時間を認識可能な情報を記述して各ＤＢ１０６〜１０８に格納し、配信サーバ１００或いは制御部１０２が、自己改善コンテンツを生成する際に、音声メッセージ・第１覚醒音・第２覚醒音の各ヘッダの再生時間に関する情報から各再生時間を認識し、各再生時間を積算して自己改善コンテンツ全体の再生時間を取得し、生成する自己改善コンテンツのヘッダに自己改善コンテンツ全体の再生時間を記述する構成等とする。
【００４３】
また、生成及び配信する自己改善コンテンツのタイトルや詳細情報は適宜であり、例えば配信サーバ１００或いは制御部１０２が、自己改善コンテンツのタイトルを入力する画面を携帯電話２００に送信し、携帯電話２００で入力されたタイトルを受信して一時格納し、前記タイトルを付加して自己改善コンテンツを生成するなど利用者が設定するタイトルとする構成や、配信サーバ１００が、音声者の識別情報に対応して所定記憶部に格納する音声者名を認識し、その音声者名を自己改善コンテンツのヘッダに記述して、詳細情報等として表示可能に付加する構成等としてもよい。更に、自己改善コンテンツは適宜の複製防止技術で複製防止処理を施したものとすると、不正コピーを防止して収益性を確保することができ好適である。更に、自己改善コンテンツの配信構成は適宜であり、例えば配信サーバ１００が、利用者情報ＤＢ１０５に格納するメールアドレスを抽出して電子メールを生成し、電子メールに自己改善コンテンツを添付して前記メールアドレスに配信する構成等とすることができる。
【００４４】
また、実在の音声者或いはキャラクターの場合には声優等による実際の音声を音声メッセージとする構成の他に、利用者が音声者を違和感なく想起できる程度に人工音声の精度が良い場合には、自己改善内容の音声メッセージを人工音声とすることも可能である。更に、音声メッセージのメッセージ内容には、「あなた」等の利用者への呼びかけがある構成とすると、利用者へのメッセージであることを明確にし、意識浸透力を高めることができて好適であるが、人工音声により、呼びかけ部分を利用者の名前にした自己改善コンテンツを生成してもよい。例えば配信サーバ１００或いは制御部１０２が、利用者情報ＤＢ１０５の利用者の名前を、適宜の人工音声生成技術により特定した音声者の音声で音声化し、その音声データを呼びかけ部分の位置情報を有する音声メッセージの呼びかけ部分に挿入する構成等とする。
【００４５】
また、第１覚醒音や第２覚醒音を音声メッセージとする場合に、音声メッセージの自己改善内容に関連する内容のものとしてもよく、例えば自己改善内容の識別情報に対応する第１覚醒音や第２覚醒音の一覧画面をウェブページ格納部１０４に格納すると共に、前記識別情報に対応して第１覚醒音や第２覚醒音を各ＤＢ１０７、１０８に格納し、配信サーバ１００が、受信した自己改善内容の識別情報に対応する第１覚醒音や第２覚醒音の選択画面を携帯電話２００に送信し、選択された第１覚醒音や第２覚醒音の識別情報に対応する第１覚醒音や第２覚醒音をＤＢ１０７、１０８から抽出して、自己改善コンテンツに設定する構成等とする。更に、覚醒音を音声メッセージとする場合に自己改善内容の音声メッセージの音声者と対応する音声者とすると利用者の娯楽性を高め、多様な好みに適応可能となって好適であり、例えば配信サーバ１００が、受信した音声者の識別情報或いは自己改善内容の音声メッセージの識別情報に対応する前記音声者の覚醒音（音声メッセージ）を選択画面で選択するように促し、その音声者の覚醒音（音声メッセージ）を抽出して自己改善コンテンツを生成する構成等とする。
【００４６】
また、利用者に課金する構成は、例えば携帯電話２００の端末ＩＤや携帯電話２００に取り付けられるＩＣカードの識別ＩＤ等に基づき、音声メッセージや覚醒音による単位・自己改善コンテンツ単位で従量制課金し、又は、定額制で課金し、携帯電話会社経由で電話料金と併せて請求する構成など適宜の構成を用いることが可能である。
【００４７】
また、配信サーバ１００が、携帯電話２００から自己改善内容や音声者の識別情報或いは音声メッセージの識別情報、第１覚醒音や第２覚醒音の識別情報等を受信してこれらを特定する構成は上記実施形態以外にも適宜であり、例えば携帯電話２００にＪＡＶＡ（登録商標）等のアプリケーションプログラムを設定し、携帯電話２００が、予め選択された音声者の識別情報、第１覚醒音や第２覚醒音の識別情報を一セットとして保持し、配信サーバ１００が前記一セットの識別情報を携帯電話２００から受信する構成等とすることが可能である。
【００４８】
また、配信サーバ１００は、自己改善内容の識別情報を内包する音声者の識別情報を自己改善内容の音声メッセージの識別情報とする他に、別々の自己改善内容の識別情報と音声者の識別情報を受信し、前記別々の２つの識別情報を自己改善内容の音声メッセージの識別情報として用い、前記２つの識別情報に対応して格納されている音声メッセージを抽出する構成としてもよい。
【産業上の利用可能性】
【００４９】
本発明は、例えば携帯電話等に対するコンテンツ配信産業で利用することができる。
【図面の簡単な説明】
【００５０】
【図１】実施形態の自己改善コンテンツの配信を行う配信サーバ、対価管理サーバ及び携帯電話による全体構成を示すブロック図。
【図２】実施形態の自己改善コンテンツの配信過程を示すフローチャート。
【符号の説明】
【００５１】
１００  配信サーバ
１０６  音声メッセージデータベース
１０７  第１覚醒音データベース
１０８  第２覚醒音データベース
２００  携帯電話
３００  通信ネットワーク
【図１】
2005258230.tif 000003
【図２】
2005258230.tif 000004